【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
オーディオ／ビデオファイルを処理する方法であって、
処理するオーディオ／ビデオファイルを決定ユニットを用いて決定するステップと、
ターゲットユーザの属性情報及び前記オーディオ／ビデオファイルの属性情報のうちの少なくとも一方に従って、前記オーディオ／ビデオファイルについてのロード可能なオーディオ／ビデオプロモーション情報を照合ユニットを用いて特定するステップと、
前記オーディオ／ビデオファイル及び前記オーディオ／ビデオプロモーション情報に対してマージ操作をマージユニットを用いて実行するステップとを含み、
前記オーディオ／ビデオファイル及び前記オーディオ／ビデオプロモーション情報に対してマージ操作を実行する前記ステップが、前記オーディオ／ビデオファイルのロード可能ロケーションにおいて前記オーディオ／ビデオファイル及び前記オーディオ／ビデオプロモーション情報に対してマージ操作を実行するステップを含み、
前記オーディオ／ビデオファイルのロード可能ロケーションにおいて前記オーディオ／ビデオファイル及び前記オーディオ／ビデオプロモーション情報に対してマージ操作を実行する前記ステップが、前記オーディオファイル内の前記ロード可能ロケーションに対応するロード可能フレームを特定するステップと、前記ロード可能フレームの前又は後に前記オーディオ／ビデオプロモーション情報を挿入するステップとを含むことを特徴とする、方法。
【請求項２】
オーディオ／ビデオファイルを処理する方法であって、
処理するオーディオ／ビデオファイルを決定ユニットを用いて決定するステップと、
ターゲットユーザの属性情報及び前記オーディオ／ビデオファイルの属性情報のうちの少なくとも一方に従って、前記オーディオ／ビデオファイルについてのロード可能なオーディオ／ビデオプロモーション情報を照合ユニットを用いて特定するステップと、
前記オーディオ／ビデオファイル及び前記オーディオ／ビデオプロモーション情報に対してマージ操作をマージユニットを用いて実行するステップとを含み、
前記オーディオ／ビデオファイル及び前記オーディオ／ビデオプロモーション情報に対してマージ操作を実行する前記ステップが、前記オーディオ／ビデオファイルのロード可能ロケーションにおいて前記オーディオ／ビデオファイル及び前記オーディオ／ビデオプロモーション情報に対してマージ操作を実行するステップを含み、
前記オーディオ／ビデオファイルのロード可能ロケーションにおいて前記オーディオ／ビデオファイル及び前記オーディオ／ビデオプロモーション情報に対してマージ操作を実行する前に、前記方法が、前記ターゲットユーザについての前記属性情報及び前記オーディオ／ビデオファイルについての前記属性情報のうちの少なくとも一方に従って、前記ロード可能ロケーションを特定することを更に含み、
前記オーディオ／ビデオファイルのロード可能ロケーションにおいて前記オーディオ／ビデオファイル及び前記オーディオ／ビデオプロモーション情報に対してマージ操作を実行する前記ステップが、前記オーディオファイル内の前記ロード可能ロケーションに対応するロード可能フレームを特定するステップと、前記ロード可能フレームの前又は後に前記オーディオ／ビデオプロモーション情報を挿入するステップとを含むことを特徴とする、方法。
【請求項３】
前記ロード可能フレームの前又は後に前記オーディオ／ビデオプロモーション情報を挿入する前記ステップが、
前記ロード可能フレーム内の圧縮オーディオデータの冒頭に対応する未処理オーディオデータ、及び前記ロード可能フレーム前のフレーム内圧縮オーディオデータの末尾に対応する未処理オーディオデータが、同じフレームに属さない場合、前記オーディオ／ビデオプロモーション情報を前記ロード可能フレームの前に挿入するステップを含むことを特徴とする、請求項１または２に記載の方法。
【請求項４】
前記ロード可能フレームの前又は後に前記オーディオ／ビデオプロモーション情報を挿入する前記ステップが、
前記ロード可能フレーム内の圧縮オーディオデータに対応する未処理オーディオデータ、及び前記ロード可能フレーム前のフレーム内圧縮オーディオデータに対応する未処理オーディオデータが、同じフレームに属する場合、前記ロード可能フレーム、前記ロード可能フレーム前のフレーム、及び他の関連フレームを復号化するステップであって、それにより、対応する未処理オーディオデータを生成するステップと；前記対応する未処理オーディオデータを圧縮するステップであって、それにより、新しいロード可能フレーム、前記新しいロード可能フレーム前のフレーム、及び新しい他の関連フレームを生成し、前記新しいロード可能フレーム内の圧縮オーディオデータに対応する未処理オーディオデータ、及び前記新しいロード可能フレーム前のフレーム内圧縮オーディオデータに対応する未処理オーディオデータが、同じフレームに属さないステップと；前記オーディオ／ビデオプロモーション情報を前記新しいロード可能フレーム前に挿入するステップとを含むことを特徴とする、請求項１または２に記載の方法。
【請求項５】
前記ロード可能フレームの前又は後に前記オーディオ／ビデオプロモーション情報を挿入する前記ステップが、
前記ロード可能フレーム内の圧縮オーディオデータの末尾に対応する未処理オーディオデータ、及び前記ロード可能フレーム後のフレーム内圧縮オーディオデータの冒頭に対応する未処理オーディオデータが、同じフレームに属さない場合、前記オーディオ／ビデオプロモーション情報を前記ロード可能フレーム後に挿入するステップを含むことを特徴とする、請求項１または２に記載の方法。
【請求項６】
前記ロード可能フレームの前又は後に前記オーディオ／ビデオプロモーション情報を挿入する前記ステップが、
前記ロード可能フレーム内の圧縮オーディオデータの末尾に対応する未処理オーディオデータ、及び前記ロード可能フレーム後のフレーム内圧縮オーディオデータの冒頭に対応する未処理オーディオデータが、同じフレームに属する場合、前記ロード可能フレーム、前記ロード可能フレーム後のフレーム、及び他の関連フレームを復号化するステップであって、それにより、対応する未処理オーディオデータを生成するステップと；前記対応する未処理オーディオデータを圧縮するステップであって、それにより、新しいロード可能フレーム、前記新しいロード可能フレーム後のフレーム、及び新しい他の関連フレームを生成し、前記新しいロード可能フレーム内の圧縮オーディオデータの末尾に対応する未処理オーディオデータ、及び前記新しいロード可能フレーム後のフレーム内圧縮オーディオデータの冒頭に対応する未処理オーディオデータが、同じフレームに属さないステップと；前記オーディオ／ビデオプロモーション情報を前記新しいロード可能フレーム後に挿入するステップとを含むことを特徴とする、請求項１または２に記載の方法。
【請求項７】
オーディオ／ビデオファイルを処理する方法であって、
処理するオーディオ／ビデオファイルを決定ユニットを用いて決定するステップと、
ターゲットユーザの属性情報及び前記オーディオ／ビデオファイルの属性情報のうちの少なくとも一方に従って、前記オーディオ／ビデオファイルについてのロード可能なオーディオ／ビデオプロモーション情報を照合ユニットを用いて特定するステップと、
前記オーディオ／ビデオファイル及び前記オーディオ／ビデオプロモーション情報に対してマージ操作をマージユニットを用いて実行するステップとを含み、
前記オーディオ／ビデオファイル及び前記オーディオ／ビデオプロモーション情報に対してマージ操作を実行する前記ステップが、前記オーディオ／ビデオファイルのロード可能ロケーションにおいて前記オーディオ／ビデオファイル及び前記オーディオ／ビデオプロモーション情報に対してマージ操作を実行するステップを含み、
前記オーディオ／ビデオファイルのロード可能ロケーションにおいて前記オーディオ／ビデオファイル及び前記オーディオ／ビデオプロモーション情報に対してマージ操作を実行する前記ステップが、前記ビデオファイル内の前記ロード可能ロケーションに対応するロード可能フレームを特定するステップと、前記ロード可能フレームの前又は後に前記オーディオ／ビデオプロモーション情報を挿入するステップとを含むことを特徴とする、方法。
【請求項８】
オーディオ／ビデオファイルを処理する方法であって、
処理するオーディオ／ビデオファイルを決定ユニットを用いて決定するステップと、
ターゲットユーザの属性情報及び前記オーディオ／ビデオファイルの属性情報のうちの少なくとも一方に従って、前記オーディオ／ビデオファイルについてのロード可能なオーディオ／ビデオプロモーション情報を照合ユニットを用いて特定するステップと、
前記オーディオ／ビデオファイル及び前記オーディオ／ビデオプロモーション情報に対してマージ操作をマージユニットを用いて実行するステップとを含み、
前記オーディオ／ビデオファイル及び前記オーディオ／ビデオプロモーション情報に対してマージ操作を実行する前記ステップが、前記オーディオ／ビデオファイルのロード可能ロケーションにおいて前記オーディオ／ビデオファイル及び前記オーディオ／ビデオプロモーション情報に対してマージ操作を実行するステップを含み、
前記オーディオ／ビデオファイルのロード可能ロケーションにおいて前記オーディオ／ビデオファイル及び前記オーディオ／ビデオプロモーション情報に対してマージ操作を実行する前に、前記方法が、前記ターゲットユーザについての前記属性情報及び前記オーディオ／ビデオファイルについての前記属性情報のうちの少なくとも一方に従って、前記ロード可能ロケーションを特定することを更に含み、
前記オーディオ／ビデオファイルのロード可能ロケーションにおいて前記オーディオ／ビデオファイル及び前記オーディオ／ビデオプロモーション情報に対してマージ操作を実行する前記ステップが、前記ビデオファイル内の前記ロード可能ロケーションに対応するロード可能フレームを特定するステップと、前記ロード可能フレームの前又は後に前記オーディオ／ビデオプロモーション情報を挿入するステップとを含むことを特徴とする、方法。
【請求項９】
前記ロード可能フレームの前又は後に前記オーディオ／ビデオプロモーション情報を挿入する前記ステップが、
前記ロード可能フレーム及びその後のフレーム内圧縮ビデオデータの復号化が、前記ロード可能フレーム前のフレーム内圧縮ビデオデータに依存しない場合、前記オーディオ／ビデオプロモーション情報を前記ロード可能フレーム前に挿入するステップを含むことを特徴とする、請求項７又は８に記載の方法。
【請求項１０】
オーディオ／ビデオファイルを処理する装置であって、
処理するオーディオ／ビデオファイルを決定する決定ユニットと、
ターゲットユーザについての属性情報及び前記オーディオ／ビデオファイルについての属性情報のうちの少なくとも一方に従って、前記オーディオ／ビデオファイルについてのロード可能なオーディオ／ビデオプロモーション情報を特定する照合ユニットと、
前記オーディオ／ビデオファイル及び前記オーディオ／ビデオプロモーション情報に対してマージ操作を実行するマージユニットと、
を備え、
前記マージユニットが特に、前記オーディオ／ビデオファイルのロード可能ロケーションにおいて前記オーディオ／ビデオファイル及び前記オーディオ／ビデオプロモーション情報に対してマージ操作を実行することに使用されるものであり、
前記マージユニットが特に、前記オーディオファイル内の前記ロード可能ロケーションに対応するロード可能フレームを特定すること、及び前記ロード可能フレームの前又は後に前記オーディオ／ビデオプロモーション情報を挿入することに使用されることを特徴とする、装置。
【請求項１１】
オーディオ／ビデオファイルを処理する装置であって、
処理するオーディオ／ビデオファイルを決定する決定ユニットと、
ターゲットユーザについての属性情報及び前記オーディオ／ビデオファイルについての属性情報のうちの少なくとも一方に従って、前記オーディオ／ビデオファイルについてのロード可能なオーディオ／ビデオプロモーション情報を特定する照合ユニットと、
前記オーディオ／ビデオファイル及び前記オーディオ／ビデオプロモーション情報に対してマージ操作を実行するマージユニットと、
を備え、
前記マージユニットが特に、前記オーディオ／ビデオファイルのロード可能ロケーションにおいて前記オーディオ／ビデオファイル及び前記オーディオ／ビデオプロモーション情報に対してマージ操作を実行することに使用されるものであり、
前記マージユニットが更に、前記ターゲットユーザについての前記属性情報及び前記オーディオ／ビデオファイルについての前記属性情報のうちの少なくとも一方に従って、前記ロード可能ロケーションを特定することに使用されるものであり、
前記マージユニットが特に、前記オーディオファイル内の前記ロード可能ロケーションに対応するロード可能フレームを特定すること、及び前記ロード可能フレームの前又は後に前記オーディオ／ビデオプロモーション情報を挿入することに使用されることを特徴とする、装置。
【請求項１２】
前記マージユニットが特に、
前記ロード可能フレーム内の圧縮オーディオデータの冒頭に対応する未処理オーディオデータ、及び前記ロード可能フレーム前のフレーム内圧縮オーディオデータの末尾に対応する未処理オーディオデータが、同じフレームに属さない場合、前記オーディオ／ビデオプロモーション情報を前記ロード可能フレームの前に挿入することに使用されることを特徴とする、請求項１０または１１に記載の装置。
【請求項１３】
前記マージユニットが特に、
前記ロード可能フレーム内の圧縮オーディオデータの冒頭に対応する未処理オーディオデータ、及び前記ロード可能フレーム前のフレーム内圧縮オーディオデータの末尾に対応する未処理オーディオデータが、同じフレームに属する場合、前記ロード可能フレーム、前記ロード可能フレーム前のフレーム、及び他の関連フレームを復号化することであって、それにより、対応する未処理オーディオデータを生成すること；前記対応する未処理オーディオデータを圧縮することであって、それにより、新しいロード可能フレーム、前記新しいロード可能フレーム前のフレーム、及び新しい他の関連フレームを生成し、前記新しいロード可能フレーム内の圧縮オーディオデータの冒頭に対応する未処理オーディオデータ、及び前記新しいロード可能フレーム前のフレーム内圧縮オーディオデータの末尾に対応する未処理オーディオデータが、同じフレームに属さないこと；並びに前記オーディオ／ビデオプロモーション情報を前記新しいロード可能フレーム前に挿入することに使用されることを特徴とする、請求項１０または１１に記載の装置。
【請求項１４】
前記マージユニットが特に、
前記ロード可能フレーム内の圧縮オーディオデータの末尾に対応する未処理オーディオデータ、及び前記ロード可能フレーム後のフレーム内圧縮オーディオデータの冒頭に対応する未処理オーディオデータが、同じフレームに属さない場合、前記オーディオ／ビデオプロモーション情報を前記ロード可能フレーム後に挿入することに使用されることを特徴とする、請求項１０または１１に記載の装置。
【請求項１５】
前記マージユニットが特に、
前記ロード可能フレーム内の圧縮オーディオデータの末尾に対応する未処理オーディオデータ、及び前記ロード可能フレーム後のフレーム内圧縮オーディオデータの冒頭に対応する未処理オーディオデータが、同じフレームに属する場合、前記ロード可能フレーム、前記ロード可能フレーム後のフレーム、及び他の関連フレームを復号化することであって、それにより、対応する未処理オーディオデータを生成すること；前記対応する未処理オーディオデータを圧縮することであって、それにより、新しいロード可能フレーム、前記新しいロード可能フレーム後のフレーム、及び新しい他の関連フレームを生成し、前記新しいロード可能フレーム内の圧縮オーディオデータの末尾に対応する未処理オーディオデータ、及び前記新しいロード可能フレーム後のフレーム内圧縮オーディオデータの冒頭に対応する未処理オーディオデータが、同じフレームに属さないこと；並びに前記オーディオ／ビデオプロモーション情報を前記新しいロード可能フレーム後に挿入することに使用されることを特徴とする、請求項１０または１１に記載の装置。
【請求項１６】
オーディオ／ビデオファイルを処理する装置であって、
処理するオーディオ／ビデオファイルを決定する決定ユニットと、
ターゲットユーザについての属性情報及び前記オーディオ／ビデオファイルについての属性情報のうちの少なくとも一方に従って、前記オーディオ／ビデオファイルについてのロード可能なオーディオ／ビデオプロモーション情報を特定する照合ユニットと、
前記オーディオ／ビデオファイル及び前記オーディオ／ビデオプロモーション情報に対してマージ操作を実行するマージユニットと、
を備え、
前記マージユニットが特に、前記オーディオ／ビデオファイルのロード可能ロケーションにおいて前記オーディオ／ビデオファイル及び前記オーディオ／ビデオプロモーション情報に対してマージ操作を実行することに使用されるものであり、
前記マージユニットが特に、前記ビデオファイル内の前記ロード可能ロケーションに対応するロード可能フレームを特定すること、及び前記ロード可能フレームの前又は後に前記オーディオ／ビデオプロモーション情報を挿入することに使用されることを特徴とする、装置。
【請求項１７】
オーディオ／ビデオファイルを処理する装置であって、
処理するオーディオ／ビデオファイルを決定する決定ユニットと、
ターゲットユーザについての属性情報及び前記オーディオ／ビデオファイルについての属性情報のうちの少なくとも一方に従って、前記オーディオ／ビデオファイルについてのロード可能なオーディオ／ビデオプロモーション情報を特定する照合ユニットと、
前記オーディオ／ビデオファイル及び前記オーディオ／ビデオプロモーション情報に対してマージ操作を実行するマージユニットと、
を備え、
前記マージユニットが特に、前記オーディオ／ビデオファイルのロード可能ロケーションにおいて前記オーディオ／ビデオファイル及び前記オーディオ／ビデオプロモーション情報に対してマージ操作を実行することに使用されるものであり、
前記マージユニットが更に、前記ターゲットユーザについての前記属性情報及び前記オーディオ／ビデオファイルについての前記属性情報のうちの少なくとも一方に従って、前記ロード可能ロケーションを特定することに使用されるものであり、
前記マージユニットが特に、前記ビデオファイル内の前記ロード可能ロケーションに対応するロード可能フレームを特定すること、及び前記ロード可能フレームの前又は後に前記オーディオ／ビデオプロモーション情報を挿入することに使用されることを特徴とする、装置。
【請求項１８】
前記マージユニットが特に、
前記ロード可能フレーム及びその後のフレーム内圧縮ビデオデータの復号化が、前記ロード可能フレーム前のフレーム内圧縮ビデオデータに依存しない場合、前記オーディオ／ビデオプロモーション情報を前記ロード可能フレーム前に挿入することに使用されることを特徴とする、請求項１６または１７に記載の装置。